(57)【要約】【課題】左右一対の履物を１組に纏め、その履物を複数組積層配置できるようにするとともに、展示および把持に便利な汎用性に優れた履物用保持具を提供する。【解決手段】左右一対の履物における足の挿入空間に挿入する一対の挿入部２３Ａ，２３Ｂと、各挿入部２３Ａ，２３Ｂにそれぞれ連設され上方に延びる立面部１８Ａ，１８Ｂと、各立面部１８Ａ，１８Ｂを連続する連続部１１と、を備える構成とする。連続部１１は、履物の先端に向けて延設され、該連続部１１上に異なる履物を載置可能とする。また、連続部１１に、引掛用または把持用の貫通孔１３を設ける。【選択図】図１
2010142566.tif 000002
【特許請求の範囲】
【請求項１】
左右一対の履物における足の挿入空間に挿入する一対の挿入部と、各挿入部にそれぞれ連設され上方に延びる立面部と、各立面部を連続する連続部と、を備えることを特徴とする履物用保持具。
【請求項２】
前記連続部を、履物の先端に向けて延設し、該連続部上に異なる履物を載置可能としたことを特徴とする請求項１に記載の履物用保持具。
【請求項３】
前記連続部に、引掛用または把持用の貫通孔を設けたことを特徴とする請求項１または請求項２に記載の履物用保持具。
【発明の詳細な説明】
【技術分野】
【０００１】
本発明は、スポーツシューズなどの左右一対の履物を一体的に保持する履物用保持具に関するものである。
【背景技術】
【０００２】
スポーツシューズなどの履物は、販売店にて展示棚に複数種のものを１組づつ展示し、他の在庫品は包装箱に収容した状態で、倉庫に保管したり棚の下に積み重ねた状態で販売されている。しかし、シューズは、競技によって機能が異なるうえ、同一競技であっても異なる種類のものである。しかも、同一機能で同一種類のものであっても色違いのものがある。そのため、消費者は、展示品などから目的の種類を選択した後、自分に合うサイズや色を箱の表示を見て選択する。
【０００３】
しかしながら、箱の表示では、異なる製造メーカのものは容易に判断できるが、同一の製造メーカで異なる種類のものは判断し難い。しかも、同一種類であっても色違いがあるものは更に判断し難い。
【０００４】
そこで、シューズの種類、サイズおよび色を判断し易くすることが要求されている。この要求に対応できるようにした先行技術文献情報としては次のものがある。
【特許文献１】特開２００１−２７５８０９号公報
【０００５】
この特許文献１には、左右一対の履物を吊り下げるように取り付けたり、取り外したりすることが可能なハンガーが記載されている。この靴展示用ハンガーは、衣服のハンガーと同様に、棒材に引っ掛けるための吊り下げ部を備え、その下部に連続する略三角形状の本体の両側に、靴の足首に当たる位置に設けた環状部材を嵌め込む切欠部が設けられている。
【０００６】
しかしながら、この靴展示用ハンガーは、環状部材が設けられていない履物には使用できない。しかも、履物を吊り下げて展示することしかできないため、汎用性に乏しいという問題がある。
【発明の開示】
【発明が解決しようとする課題】
【０００７】
本発明は、従来の問題に鑑みてなされたもので、左右一対の履物を１組に纏め、その履物を複数組積層配置できるようにするとともに、展示および把持に便利な汎用性に優れた履物用保持具を提供することを課題とするものである。
【課題を解決するための手段】
【０００８】
前記課題を解決するため、本発明の履物用保持具は、左右一対の履物における足の挿入空間に挿入する一対の挿入部と、各挿入部にそれぞれ連設され上方に延びる立面部と、各立面部を連続する連続部と、を備える構成としている。
【０００９】
この履物用保持具では、前記連続部を、履物の先端に向けて延設し、該連続部上に異なる履物を載置可能とすることが好ましい。
また、前記連続部に、引掛用または把持用の貫通孔を設けることが好ましい。
【発明の効果】
【００１０】
本発明の履物用保持具は、一対の挿入部を立面部を介して連続部で連続させた構成としているため、左右一対の履物を１組に纏めた状態とすることができる。そして、連続部を履物の先端に向けて延設し、この連続部上に異なる履物を載置可能としているため、複数組の履物を整理した状態で積層配置できる。そして、積層状態では、消費者は少なくとも履物の種類と色とを簡単に判別できるため、十分に販売促進効果を得ることができる。しかも、連続部は、広い突出面積を有するため、その上面に履物の種類に応じた印刷を施すことにより、更なる訴求効果を得ることができる。しかも、連続部には、販売時に引っ掛けることが可能で、購入後には把手として使用可能な貫通孔を設けているため、利便性および汎用性を向上できる。
【発明を実施するための最良の形態】
【００１１】
以下、本発明の実施の形態を図面に従って説明する。
【００１２】
図１は、本発明の実施形態に係る履物用保持具（以下「保持具」と略する。）１０を示す。この保持具１０は、左右一対の履物を１組に纏めた状態に保持するもので、一対の表紙と裏紙との間に波状の中しんを配設した段ボール紙を、周知の紙器打抜装置によって打ち抜いて、所定位置を折り曲げることにより成形される。
【００１３】
この保持具１０のブランクは、図３に示すように、一対の挿入部２３Ａ，２３Ｂと、各挿入部２３Ａ，２３Ｂに連設した立面部１８Ａ，１８Ｂと、これら立面部１８Ａ，１８Ｂを連続する連続部１１とを備え、この連続部１１を中心として左右対称な形状に打ち抜いたものである。なお、本実施形態では、中しんが左右の挿入部２３Ａ，２３Ｂ間に向けて延びるように形成することにより、組立状態で垂直方向に延びる立面部１８Ａ，１８Ｂの耐圧強度を向上できるように構成している。
【００１４】
具体的には、中央に位置する連続部１１は、組立状態で水平方向に延びるように配置されるものである。この連続部１１の横方向の幅は、１組の履物を揃えた状態で、それぞれの中心間の幅に略対応する寸法で形成されている。また、連続部１１の全長は、履物の踵（後端）部分から爪先（先端）近傍まで延びる寸法で形成されている。これにより、本実施形態の連続部１１は、上部に異なる履物を載置可能なスタッキング部として使用可能としている。また、この面積が広い連続部１１の表面は、保持する履物の種類に応じた印刷を施すための印刷部１２としている。また、連続部１１は、図中下側に位置する後端縁が半円形状をなすように面取りした形状とされている。そして、この連続部１１の後部には、後端の円弧縁と同心円状をなすように、引掛穴および把持穴として使用可能な貫通孔１３が設けられている。
【００１５】
なお、本実施形態では、この連続部１１をスタッキング部として使用する目的により、該連続部１１の剛性を向上するために後端縁に重畳板部１５が連設されている。この重畳板部１５は、連続部１１に対して段ボール紙の肉厚分の接続部１４を介して連設されている。これら連続部１１、接続部１４および重畳板部１５の各境界部分には、肉厚を圧縮するように罫を入れて形成した折曲線１６が設けられている。重畳板部１５は、連続部１１の下面に重畳するように折り曲げて、熱溶融樹脂からなる接着剤（ホットメルト）や酢酸ビニルエマルジョン系などの接着剤で貼着されるものである。この重畳板部１５は、連続部１１より僅かに小さい形状に形成され、貼着状態で連続部１１の縁から突出する部分が生じないように構成している。また、重畳板部１５には、貫通孔１３に対応する貫通孔１７が設けられている。
【００１６】
前記立面部１８Ａ，１８Ｂは、連続部１１の後部両側に連設され、組付状態では連続部１１に対して略垂直下向きに延びるように配置されるものである。この立面部１８Ａ，１８Ｂと連続部１１との境界部分には、前記と同様の折曲線１９が設けられている。本実施形態の立面部１８Ａ，１８Ｂは、折曲線１９を頂部として先方へ突出する直角部を有する略台形状に形成されている。そのため、この立面部１８Ａ，１８Ｂにおける前方上部に位置する斜辺と連続部１１との間には、大きな打抜空間が形成される。そこで、本実施形態では、領域を打ち抜くことなく、前記と同様の折曲線２０を介して連設するとともに、立面部１８Ａ，１８Ｂおよび連続部１１との境界部分を切断線２１により区画することにより、履物の型くずれ防止用の弾性支持部２２Ａ，２２Ｂとして構成している。なお、この弾性支持部２２Ａ，２２Ｂは、折曲線２０に沿って折り曲げた状態で、立面部１８Ａ，１８Ｂの対応領域に略一致する形状をなす。
【００１７】
前記挿入部２３Ａ，２３Ｂは、左右一対の履物における足の挿入空間に挿入されるもので、立面部１８Ａ，１８Ｂの底辺である両側縁に連設されている。そして、これら挿入部２３Ａ，２３Ｂと立面部１８Ａ，１８Ｂとの境界部分には折曲線２４が設けられている。この挿入部２３Ａ，２３Ｂは、組付状態では立面部１８Ａ，１８Ｂに対して屈曲され、略水平方向に延びるように配置される。そのため、この挿入部２３Ａ，２３Ｂは、折曲線２４を略中心線として履物のソール形状に略対応する長円形状に形成されている。また、この挿入部２３Ａ，２３Ｂと立面部１８Ａ，１８Ｂとは、それぞれ切断線２５ａ，２５ｂにより区画されている。なお、これら切断線２５ａ，２５ｂは、折曲線２４に対して接円する破断防止用の円弧状切断部を有する。
【００１８】
このように構成した保持具１０は、連続部１１に対して重畳板部１５を貼着した状態で、履物を販売する所定の販売店に出荷される。そして、販売店では、図１に示すように、印刷部１２が上面に位置するようにして連続部１１に対して立面部１８Ａ，１８Ｂを下向き（山折り）に折り曲げた後、これら立面部１８Ａ，１８Ｂに対して挿入部２３Ａ，２３Ｂを外向き（谷折り）に折り曲げる。また、立面部１８Ａ，１８Ｂに対して弾性支持部２２Ａ，２２Ｂを内向き（山折り）にして折り曲げる。
【００１９】
そして、この折曲状態で、挿入部２３Ａ，２３Ｂを左右揃えた１組の履物の挿入空間に先端から差し込む。この際、本実施形態では、略直角台形形状をなす立面部１８Ａ，１８Ｂの下部も履物の挿入空間に挿入される。そのため、弾性支持部２２Ａ，２２Ｂは、立面部１８Ａ，１８Ｂと重畳するように挟んだ状態で挿入空間に一緒に挿入する。そして、挿入後に弾性支持部２２Ａ，２２Ｂの挟み込みを解除することにより、弾性支持部２２Ａ，２２Ｂが弾性的に復元する。
【００２０】
この保持具１０の組付状態では、図２に示すように、挿入部２３Ａ，２３Ｂを履物のソール形状で形成しているため、簡単には離脱しない安定した保持状態を得ることができる。そして、これら挿入部２３Ａ，２３Ｂを立面部１８Ａ，１８Ｂを介して連続部１１で連続させた構成であるため、左右一対の履物を１組に纏めた状態を確実に維持できる。
【００２１】
そして、本実施形態では、連続部１１を履物の先端に向けて延設しているため、図示のように、その連続部１１上に異なる履物を載置することができる。よって、箱に収容した状態で棚の下に積み重ねていた従来の販売形態と同様に、占有スペースを削減し、整理した状態での販売を実現できる。しかも、本実施形態の保持具１０を使用した場合、消費者が履物の種類と色とを簡単に判別できるため、十分に販売促進効果を得ることができる。また、連続部１１に履物の種類に応じた印刷部１２を設けているため、更なる訴求効果を得ることができる。
【００２２】
また、保持具１０には、貫通孔１３，１７を設けているため、履物を購入したユーザは、その貫通孔１３，１７に手を差し込むことにより、１組の靴を簡単に把持できる。また、この貫通孔１３，１７に展示台の棒材を差し込むことにより、履物を引っ掛けた状態で販売することも可能である。そのため、利便性および汎用性の向上を図ることができる。
【００２３】
さらに、本実施形態では、連続部１１に重畳板部１５を連設し、これらを貼着する構成としている。そのため、積層したスタッキング状態、および、吊り下げ状態での安定性（剛性）を向上できる。また、立面部１８Ａ，１８Ｂには弾性支持部２２Ａ，２２Ｂを連設しているため、組付状態では、弾性支持部２２Ａ，２２Ｂが履物の挿入空間内で広がり、履物の甲の部分に位置する。そのため、履物の型くずれ防止にも貢献できる。
【００２４】
なお、本発明の履物用保持具１０は、前記実施形態の構成に限定されるものではなく、種々の変更が可能である。
【００２５】
例えば、前記実施形態では、貫通孔１３を後部に位置するように設けたが、先端部に位置するように設けてもよい。また、この貫通孔１３は設けない構成としてもよい。さらに、連続部１１は、履物の先端部を延設する構成としたが、立面部１８Ａ，１８Ｂを連続させる本来の機能のみを得ることが可能な面積（形状）としてもよい。
【００２６】
そして、前記実施形態では、連続部１１に対して立面部１８Ａ，１８Ｂを直接連設したが、これらを外観が面取りによる辺をなすように中間壁を介して連設する構成としてもよい。このようにすれば、同一サイズでも幅が異なる履物に対して、その横幅（立面部１８Ａ，１８Ｂの間隔）の調整機能を具備させることができる。
【図面の簡単な説明】
【００２７】
【図１】本発明の履物用保持具を履物に組み付ける前の状態を示す斜視図である。
【図２】履物用保持具を履物に組み付けた状態を示す斜視図である。
【図３】履物用保持具のブランクを示す平面図である。
【符号の説明】
【００２８】
１０…保持具
１１…連続部
１２…印刷部
１３…貫通孔
１４…接続部
１５…重畳板部
１６…折曲線
１７…貫通孔
１８Ａ，１８Ｂ…立面部
１９…折曲線
２０…折曲線
２１…切断線
２２Ａ，２２Ｂ…弾性支持部
２３Ａ，２３Ｂ…挿入部
２４…折曲線
２５ａ，２５ｂ…切断線
【図１】
2010142566.tif 000003
【図２】
2010142566.tif 000004
【図３】
2010142566.tif 000005